(57)【要約】  通信、特に、無線通信、特に、ユニバーサルモバイルテレコミュニケーションズシステム（ＵＭＴＳ）地上波無線アクセスネットワーク（ＵＴＲＡＮ）ロングタームエボリューション（ＬＴＥ）のアップリンク（ＵＬ）送信、特に、サウンディング基準信号（ＳＲＳ）送信及び構成に関する技術を提供する。サウンディング基準信号の周波数ホッピング位置を形成する段階を含む方法、装置、及びコンピュータプログラムは、ホッピングパターンに基づいている。サウンディング基準信号のホッピングパターンは、サウンディング基準信号の周波数配分に対してツリー割り当てを利用し、かつ層あたり少なくとも１つの周波数帯域ブランチをサポートするように構成される。サウンディング基準信号のホッピングパターンはまた、広く分離された周波数配分に対して連続的なサウンディング基準信号を提供するように構成される。【選択図】図５
2011523516.tif 000002
【特許請求の範囲】
【請求項１】
ホッピングパターンに基づいてサウンディング基準信号の周波数ホッピング位置をプロセッサによって形成する段階と、
前記サウンディング基準信号の前記ホッピングパターンを該サウンディング基準信号の周波数配分に対してツリー割り当てを利用し、かつ層あたり少なくとも１つの周波数帯域ブランチをサポートするように構成する段階と、
前記サウンディング基準信号の前記ホッピングパターンを広く分離された周波数配分に対して連続的なサウンディング基準信号を提供するように構成する段階と、
を含むことを特徴とする方法。
【請求項２】
周波数ホッピングなしの前記サウンディング基準信号に類似する式に基づいてホッピングサウンディング基準信号に対する周波数ドメイン開始位置を定める段階、
を更に含むことを特徴とする請求項１に記載の方法。
【請求項３】
【数１】
2011523516.tif 000013
によってｋ0の周波数ドメイン開始位置を定める段階、
を更に含み、
ここで、ｋ’0は、使用される反復係数ｃｏｍｂに関連するサブキャリアにおけるオフセットであり、ＬSRSは、割り当てられたサウンディング基準信号帯域幅値のインデックスであり、Ｂ1は、ツリー層１上のサブキャリアにおけるサウンディング基準信号帯域幅であり、ｎ1は、ツリー層１上のサウンディング基準信号周波数位置インデックスである、
ことを特徴とする請求項２に記載の方法。
【請求項４】
ツリー層１及びその上方の層に対して、ｎ1、origをツリー層１に対する配分インデックスの基準値としたときのｎ1：
ｎ1＝Ｆ1、t＋ｎ1、origｍｏｄＮ1
によって前記ホッピングパターンを定める段階、
を更に含み、
Ｎ1は、割り当てツリー層１上のブランチ当たりの新しいブランチの数であり、ｔは、前記サウンディング基準信号に対する時間インデックスであり、かつ共通基準フレーム及びサブフレーム数に対するものであり、かつ現在のフレーム数、該サブフレーム数、及びサウンディング基準信号期間の関数である、
ことを特徴とする請求項２に記載の方法。
【請求項５】
Ｎ1が偶数であるときに、
【数２】
2011523516.tif 000014
のようにＦl、tを定める段階と、
Ｎ1が奇数であるときに、
【数３】
2011523516.tif 000015
のようにＦl、tを定める段階と、
を更に含むことを特徴とする請求項４に記載の方法。
【請求項６】
ツリー層ｌmin及びその上方の層に対してのみサウンディング基準信号の前記周波数ホッピングを定める段階と、
ツリー層ｌmin及びその上方の層に対してｎ1、origをツリー層１に対する配分インデックスの基準値としたときのｎ1；
ｎ1＝Ｆl、t＋ｎ1、origｍｏｄＮ1
よって前記ホッピングパターンを定める段階と、
を更に含み、
Ｎ1は、割り当てツリー層ｌ上のブランチあたりの新しいブランチの数であり、ｔは、前記サウンディング基準信号に対する時間インデックスであり、かつ共通基準フレーム及びサブフレーム数に対するものであり、かつ現在のフレーム数、該サブフレーム数、及びサウンディング基準信号期間の関数である、
ことを特徴とする請求項２に記載の方法。
【請求項７】
ｌ＜ｌminであるときに、Ｆl、t＝０としてＦl、tを定める段階と、
ｌがｌminに等しいか又はそれよりも大きいときかつＮ1が偶数であるときに、
【数４】
2011523516.tif 000016
のようにＦl、tを定める段階と、
ｌが、ｌminに等しいか又はそれよりも大きいときかつＮ1が偶数のときに、
【数５】
2011523516.tif 000017
のようにＦl、tを定める段階と、
を更に含み、
Ｎ1は、割り当てツリー層１上のブランチあたりの新しいブランチの数であるが、ツリー層ｌmin−１上の該新しいブランチの数に関わらずＮlmin-1＝１であるｌmin−１を除く、
ことを特徴とする請求項６に記載の方法。
【請求項８】
前記周波数ホッピング及び非周波数ホッピングサウンディング基準信号間の選択を受信する段階、
を更に含み、
前記サウンディング基準信号は、前記周波数ホッピングあり又はなしで構成され、
前記周波数ホッピング及び前記非周波数ホッピングサウンディング基準信号の前記選択は、ユーザ機器又はセル内の全てのユーザ機器に固有である、
ことを特徴とする請求項１に記載の方法。
【請求項９】
サウンディング基準信号設定信号である無線リソース制御信号を装置から受信する段階と、
前記無線リソース制御信号におけるデータに基づいて割り当てられたサウンディング基準信号を含むアップリンクメッセージを前記装置に送信する段階と、
を更に含むことを特徴とする請求項１に記載の方法。
【請求項１０】
ホッピングパターンに基づいてサウンディング基準信号の周波数ホッピング位置を処理するように構成されたプロセッサ、
を含み、
前記サウンディング基準信号の前記ホッピングパターンは、該サウンディング基準信号の周波数配分に対してツリー割り当てを利用し、かつ層あたり少なくとも１つの周波数帯域ブランチをサポートし、かつ広く分離された周波数配分に対して連続的なサウンディング基準信号を提供するように構成される、
ことを特徴とする装置。
【請求項１１】
前記プロセッサは、周波数ホッピングなしの前記サウンディング基準信号に類似の式に基づいて、ホッピングサウンディング基準信号に関連する周波数ドメイン開始位置を定めるように更に構成されることを特徴とする請求項１０に記載の装置。
【請求項１２】
前記プロセッサは、
【数６】
2011523516.tif 000018
によってｋ0の周波数ドメイン開始位置を定めるように更に構成されており、
ここで、ｋ’0は、使用される反復係数ｃｏｍｂに関連するサブキャリアにおけるオフセットであり、ＬSRSは、割り当てられたサウンディング基準信号帯域幅値のインデックスであり、Ｂ1は、ツリー層１上のサブキャリアにおけるサウンディング基準信号帯域幅であり、ｎ1は、ツリー層１上のサウンディング基準信号周波数位置インデックスである、
ことを特徴とする請求項１１に記載の装置。
【請求項１３】
前記プロセッサは、
ツリー層ｌmin及びその上方の層に対して、ｎ1、origをツリー層１に対する配分インデックスの基準値としたときのｎ1：
ｎ1＝Ｆ1、t＋ｎ1、origｍｏｄＮ1
によって前記ホッピングパターンを定める、
ように更に構成されており、
Ｎ1は、割り当てツリー層１上のブランチ当たりの新しいブランチの数であり、ｔは、前記サウンディング基準信号に対する時間インデックスであり、かつ共通基準フレーム及びサブフレーム数に対するものであり、かつ現在のフレーム数、該サブフレーム数、及びサウンディング基準信号期間の関数である、
ことを特徴とする請求項１１に記載の装置。
【請求項１４】
前記プロセッサは、
Ｎ1が偶数であるときに、
【数７】
2011523516.tif 000019
のようにＦl、tを定め、かつ
Ｎ1が奇数であるときに、
【数８】
2011523516.tif 000020
のようにＦl、tを定める、
ように更に構成される、
ことを特徴とする請求項１３に記載の装置。
【請求項１５】
前記プロセッサは、
ツリー層ｌmin及びその上方の層に対してのみサウンディング基準信号の前記周波数ホッピングを定め、かつ
ツリー層ｌmin及びその上方の層に対してｎ1、origをツリー層１に対する配分インデックスの基準値としたときのｎ1；
ｎ1＝Ｆl、t＋ｎ1、origｍｏｄＮ1
よって前記ホッピングパターンを定める、
ように更に構成されており、
Ｎ1は、割り当てツリー層ｌ上のブランチあたりの新しいブランチの数であり、ｔは、前記サウンディング基準信号に対する時間インデックスであり、かつ共通基準フレーム及びサブフレーム数に対するものであり、かつ現在のフレーム数、該サブフレーム数、及びサウンディング基準信号期間の関数である、
ことを特徴とする請求項１１に記載の装置。
【請求項１６】
前記プロセッサは、
ｌ＜ｌminであるときに、Ｆl、t＝０としてＦl、tを定め、
ｌがｌminに等しいか又はそれよりも大きいときかつＮ1が偶数であるときに、
【数９】
2011523516.tif 000021
のようにＦl、tを定め、かつ
ｌが、ｌminに等しいか又はそれよりも大きいときかつＮ1が偶数のときに、
【数１０】
2011523516.tif 000022
のようにＦl、tを定める、
ように更に構成されており、
Ｎ1は、割り当てツリー層１上のブランチあたりの新しいブランチの数であるが、ツリー層ｌmin−１上の該新しいブランチの数に関わらずＮlmin-1＝１であるｌmin−１を除く、
ことを特徴とする請求項１５に記載の装置。
【請求項１７】
前記周波数ホッピング及び非周波数ホッピングサウンディング基準信号間の選択を受信するように構成された受信機、
を更に含み、
前記サウンディング基準信号は、前記周波数ホッピングあり又はなしで構成され、
前記周波数ホッピング及び前記非周波数ホッピングサウンディング基準信号の前記選択は、ユーザ機器又はセル内の全てのユーザ機器に固有である、
ことを特徴とする請求項１０に記載の装置。
【請求項１８】
サウンディング基準信号設定信号である無線リソース制御信号を別の装置から受信するように構成された受信機と、
前記無線リソース制御信号におけるデータに基づいて、割り当てられたサウンディング基準信号を含むアップリンクメッセージを他方の装置に送信するように構成された送信機と、
を更に含むことを特徴とする請求項１０に記載の装置。
【請求項１９】
コンピュータ可読媒体上に組み込まれたコンピュータプログラムであって、
ホッピングパターンに基づいてサウンディング基準信号の周波数ホッピング位置を形成する段階と、
前記サウンディング基準信号の前記ホッピングパターンを該サウンディング基準信号の周波数配分に対してツリー割り当てを利用し、かつ層あたり少なくとも１つの周波数帯域ブランチをサポートするように構成する段階と、
前記サウンディング基準信号の前記ホッピングパターンを広く分離された周波数配分に対して連続的なサウンディング基準信号を提供するように構成する段階と、
を含む方法を実行するプロセッサを制御するように構成される、
ことを特徴とするコンピュータプログラム。
【請求項２０】
ホッピングパターンに基づいてサウンディング基準信号の周波数ホッピング位置を形成するための形成手段と、
前記サウンディング基準信号の前記ホッピングパターンを該サウンディング基準信号の周波数配分に対してツリー割り当てを利用し、層あたり少なくとも１つの周波数帯域ブランチをサポートし、かつ広く分離された周波数配分に対して連続的なサウンディング基準信号を提供するように構成するための構成手段と、
を含むことを特徴とする装置。
【発明の詳細な説明】
【技術分野】
【０００１】
関連出願への参照
本出願は、２００８年３月２０日出願の米国特許仮出願第６１／０６４、６９０号、２００８年４月２１日出願の米国特許仮出願第６１／０７１、２９９号、及び２００８年５月２０日出願の米国特許仮出願第６１／０７１、８３７号に対する優先権を請求するものである。これらの出願の開示は、本明細書においてその全内容が引用により組み込まれている。
【０００２】
一部の実施形態は、一般的に、通信、特に、無線通信に関する。特に、実施形態の一部は、ユニバーサルモバイルテレコミュニケーションズシステム（ＵＭＴＳ）地上波無線アクセスネットワーク（ＵＴＲＡＮ）ロングタームエボリューション（ＬＴＥ）のアップリンク（ＵＬ）送信に関する。より具体的には、ある一定の実施形態は、サウンディング基準信号（ＳＲＳ）送信及び構成に関する。
【背景技術】
【０００３】
無線通信ネットワークは、公知であり、絶えず進化している。例えば、ＵＭＴＳは、第３世代（３Ｇ）セル電話技術の１つである。現在、ＵＭＴＳの最も一般的な形式は、３ＧＰＰ（３Ｇ提携プロジェクト）によって標準化されるような基礎となるエアインタフェースとして広帯域符号分割多元接続（Ｗ−ＣＤＭＡ）を使用する。
【０００４】
現在、世界中のＵＭＴＳネットワークは、ダウンリンクパケットデータに対するデータレート及び容量を増加させるためにアップグレードされている。ＵＭＴＳの更なる競争力を保証するために、ＵＭＴＳロングタームエボリューション（ＬＴＥ）に対する様々な概念が、高データレート、低待ち時間、及びパケット最適化無線アクセス技術を達成するために研究されている。
【０００５】
「３ＧＰＰ  ＬＴＥ（ロングタームエボリューション）」は、将来の要件に対処するためにＵＭＴＳモバイル電話規格を改善するための第３世代提携プロジェクト内の１つのプロジェクトに与えられた名前である。プロジェクトの目標は、効率の改善、コストの低減、サービスの改善、新しいスペクトル機会の使用、及び他のオープン規格とのより良い統合化を含む。ＬＴＥプロジェクトは、規格ではないが、ＵＭＴＳシステムのかなりの又は全体的な拡張及び修正を含むＵＭＴＳ規格の新しく進化したリリース８をもたらすことが期待されている。
【０００６】
進化型ＵＭＴＳの特徴は、それが、音声、映像、及びメッセージングのようなビルト−オン高レベルサービスを備えた「インターネット」のコアプロトコルである送信制御プロトコル／インターネットプロトコル（ＴＣＰ／ＩＰ）に基本的に基づくということである。
【０００７】
最新の無線ネットワークでは、サウンディング基準信号（ＳＲＳ）は、モバイルデバイスのようなユーザ機器（ＵＥ）からの送信に対するＬＴＥ規格におけるリソースブロック（ＲＢ）又は物理的リソースブロック（ＰＲＢ）として公知の最良リソースユニット（ＲＵ）を見つけるために、典型的には、基地局又はノードＢに対して広い帯域幅で送信される。しかし、最大ＵＥ送信電力に対する制限のために、チャンネル品質インジケータ（ＣＱＩ）測定精度は、セルの縁部の近くに位置したＵＥがＳＲＳを送信するときのようなＳＲＳ信号の受信電力が低下するときに低下する。ＳＲＳのこの低下は、最適ＲＵ割り当て及び変調及び符号化方式（ＭＣＳ）選択にエラーを生じさせる場合がある。したがって、ＵＥからのＳＲＳの送信における改善は、最大ユーザ収量を達成するのに役立つ。したがって、ＳＲＳは、ＵＬデータ送信に対するＰＵＳＣＨのためのチャンネル認識スケジューリング及び高速リンク適応を可能にするように設計される。ＳＲＳはまた、物理的アップリンク共有チャンネル（ＰＵＳＣＨ）及び物理的アップリンク制御チャンネル（ＰＵＣＣＨ）の両方に対する閉ループ電力制御（ＰＣ）のための基準（ＲＳ）としても使用される。
【０００８】
更に、ＳＲＳは、時分割二重通信（ＴＤＤ）モードにおけるチャンネル認識ダウンロード（ＤＬ）スケジューリングを改善／可能にするために使用することができる。ＴＤＤは、発信及びリターン信号を分離するための時分割多重方式のアプリケーションである。特に、ＴＤＤは、半二重通信リンク上で全二重通信をエミュレートし、アップリンク及びダウンリンクデータ速度の非対称性が可変である場合に利益を提供する。
【先行技術文献】
【特許文献】
【０００９】
【特許文献１】米国特許仮出願第６１／０６４、６９０号
【特許文献２】米国特許仮出願第６１／０７１、２９９号
【特許文献３】米国特許仮出願第６１／０７１、８３７号
【特許文献４】米国特許仮出願第６０／００６、６３４号
【特許文献５】米国特許仮出願第６０／００６、９０１号
【発明の概要】
【発明が解決しようとする課題】
【００１０】
本発明は、現在の当業技術に応答して、特に、現在利用可能な通信システム技術によって完全には解決されていない当業技術の問題及び必要性に応答して開発されたものである。したがって、本発明は、サウンディング基準信号周波数ホッピングパターン装置、方法、及びコンピュータ可読媒体上に組み込まれたコンピュータプログラムを提供するために開発されたものである。
【課題を解決するための手段】
【００１１】
一実施形態によると、ホッピングパターンに基づいてサウンディング基準信号の周波数ホッピング位置をプロセッサによって形成する段階を含む方法を提供することができる。本方法はまた、サウンディング基準信号の周波数配分に対してツリー割り当てを利用して層あたり少なくとも１つの周波数帯域ブランチをサポートするために、サウンディング基準信号のホッピングパターンを構成する段階を含むことができる。本方法は、広く分離された周波数配分に対して連続的なサウンディング基準信号を提供するために、サウンディング基準信号のホッピングパターンを構成する段階を含むことができる。
【００１２】
別の実施形態により、ホッピングパターンに基づいてサウンディング基準信号の周波数ホッピング位置を処理するように構成されたプロセッサを含む装置を提供することができる。サウンディング基準信号のホッピングパターンは、サウンディング基準信号の周波数配分に対してツリー割り当てを利用し、かつ層あたり少なくとも１つの周波数帯域ブランチをサポートし、かつ広く分離された周波数配分に対して連続的なサウンディング基準信号を提供するように構成することができる。
【００１３】
別の実施形態により、コンピュータ可読媒体上に組み込まれるコンピュータプログラムを提供することができる。コンピュータプログラムは、方法を実行するためにプロセッサを制御するように構成することができる。コンピュータプログラムは、ホッピングパターンに基づいてサウンディング基準信号の周波数ホッピング位置を形成する段階を含む。コンピュータプログラムはまた、サウンディング基準信号の周波数配分に対してツリー割り当てを利用し、かつ層あたり少なくとも周波数帯域ブランチをサポートするようにサウンディング基準信号のホッピングパターンを構成する段階を含むことができる。コンピュータプログラムはまた、広く分離された周波数配分に対して連続的なサウンディング基準信号を提供するようにサウンディング基準信号のホッピングパターンを構成する段階を含むことができる。
【００１４】
別の実施形態により、ホッピングパターンに基づいてサウンディング基準信号の周波数ホッピング位置を形成するための形成手段を含む装置を提供することができる。装置はまた、サウンディング基準信号の周波数配分に対してツリー割り当てを利用し、かつ層あたり少なくとも１つの周波数帯域ブランチをサポートし、かつ広く分離された周波数配分に対して連続的なサウンディング基準信号を提供するようにサウンディング基準信号のホッピングパターンを構成するための構成手段を含むことができる。
【００１５】
本発明の利点を容易に理解されることになるように、上記に簡略に説明した本発明の更に具体的な説明を添付の図面に示されている特定的な実施形態を参照することにより以下に提供する。これらの図面は、本発明の典型的な実施形態のみを示し、したがって、その範囲を制限するように考えないものとすることを理解した上で、本発明を添付の図面の使用を通して付加的な特異性及び詳細によって以下に記述して説明する。
【図面の簡単な説明】
【００１６】
【図１】ＵＭＴＳシステムの高レベルの概略図を示す図である。
【図２】一部の実施形態によるユーザ機器を示す高レベルの概略図である。
【図３】少なくとも１つの実施形態によるサウンディング基準信号周波数ホッピングパターン及び構成方法における段階を示す図である。
【図４】少なくとも１つの実施形態によるＳＲＳ帯域幅配分構成を示す処理流れ図である。
【図５】ツリーベースのＳＲＳ周波数ホッピングを示す図である。
【図６】少なくとも１つの実施形態によるツリー構造による例示的なＳＲＳ周波数位置構成を示す図である。
【図７Ａ】少なくとも１つの実施形態による例示的なＳＲＳ周波数ホッピングパターンを示す図である。
【図７Ｂ】少なくとも１つの実施形態による動的に変化するＰＵＣＣＨ領域を備えた例示的なＳＲＳ構成を示す図である。
【図８】少なくとも１つの実施形態によるホッピングＳＲＳを形成する方法における段階を示す図である。
【図９】少なくとも１つの実施形態により第２ＵＥに対する周波数ホッピングにより、他の示されたＵＥに対する周波数ホッピングなしにスケジュールされた例示的なＳＲＳを示す図である。
【図１０】一部の実施形態によるセルシステムの構成要素を示す高レベルの概略図である。
【発明を実施するための形態】
【００１７】
本明細書における図面に一般的に説明して示すように、本発明の構成要素は、様々な異なる構成に配置及び設計することができることが容易に理解されるであろう。したがって、添付の図に示すような本発明の装置、システム、及び方法の実施形態の以下の詳細説明は、特許請求する本発明の範囲を制限するものではなく、本発明の選択された実施形態を単に表すものである。
【００１８】
本明細書を通して説明する本発明の特徴、構造、又は特性は、あらゆる適切な方法で１つ又はそれよりも多くの実施形態に結合することができる。例えば、本明細書全体を通して「ある一定の実施形態」、「一部の実施形態」、又は類似の言語の引用は、実施形態に関して説明した特定の特徴、構造、又は特性が本発明の少なくとも１つの実施形態に含まれることを意味する。したがって、本明細書全体を通して「ある一定の実施形態では」、「一部の実施形態では」、「他の実施形態では」、又は類似の言語の句の出現は、必ずしも全てが実施形態の同じ群を指すものではなく、説明する特徴、構造、又は特性は、あらゆる適切な方法で１つ又はそれよりも多くの実施形態に結合することができる。
【００１９】
更に、用語、データ、パケット、及び／又はデータグラムが、本発明の説明に使用されているが、本発明は、ネットワークデータの多くのタイプへのインポートを有する。本発明の目的に対しては、データという用語は、パケット、セル、フレーム、データグラム、ブリッジプロトコルデータユニットパケット、パケットデータ、及びこれらのあらゆる均等物を含む。
【００２０】
ある一定の省略形の以下のリストが、本明細書において使用される。
・ＢＴＳ：基地送受信局
・ＢＷ：帯域幅
・ＤＭ：復調
・ＬＴＥ：ロングタームエボリューション
・ＰＵＣＣＨ：物理的アップリンク制御チャンネル
・ＰＵＳＣＨ：物理的アップリンク共有チャンネル
・ＲＢ：リソースブロック（１８０ｋＨｚ、１２サブキャリア）
・ＲＰＦ：反復係数
・ＲＲＣ：無線リソース制御
・ＲＳ：基準信号
・ＳＲＳ：サウンディング基準信号
・ＴＤＤ：時分割二重方式
・ＵＥ：ユーザ機器
・ＵＴＲＡＮ：ユニバーサル地上波無線アクセスネットワーク
・ＷＭＣＤＡ：広帯域符号分割多元接続
【００２１】
現在のＬＴＥでは、ＳＲＳ信号伝達は、ノードＢ１１０によって制御され、ＳＲＳパラメータは、１つのＵＥ１２０当たりに構成される。例えば、ＳＲＳの態様は、例えば、無線リソース制御（ＲＲＣ）信号伝達の一部として、１つのＵＥ１２０当たり準静的に構成可能である。特に、ＵＥ１２０は、ノードＢ１１０へのアップリンク通信の一部として様々な属性を指定することができる。更に、ＳＲＳが変更された場合、ＵＥ１２０によって使用される帯域幅（ＢＷ）は、所定の作動帯域幅に対する構成を送信することによって調節することができる。帯域幅を調節する場合、ＳＲＳ送信は、理想的には、恒久的リソース配分を収容するＰＵＣＣＨ領域又はＰＵＳＣＨ領域を破裂させてはならない。
【００２２】
ＵＥ１２０は、ノードＢ１１０によって作られたＲＲＣ信号伝達に基づいてＳＲＳ送信の持続時間を調節することができる。例えば、ＳＲＳ送信は、「ワンショット」送信、又はそうでなければ無効にされるまで又はセッションが終了するまで有効である無期限の定期的送信のいずれかとして定めることができる。ＵＥ１２０は、ＳＲＳ送信に対する期間を更に調節することができる。例えば、期間は、２、５、１０、２０、４０、８０、１６０、又は３２０ｍｓとすることができる。ＳＲＳは、一般的に、２の反復係数（ＲＰＦ）を含むものとして定められる。ＵＥ１２０は、以下に更に詳しく説明するように、３ビットによって信号伝達された循環シフトを含むようにＳＲＳを更に調節することができる。
【００２３】
周波数ホッピングＳＲＳは、制限されたＳＲＳオーバヘッドを備えた大きな帯域幅をサウンディングするための有用な構成とすることができるが、遅延チャンネル品質情報（ＣＱＩ）測定を犠牲にする。
【００２４】
ＳＲＳの効率的な割り当てに異なる送信帯域幅を提供するために、１つの方式は、直交可変拡散因子（ＯＶＳＦ）コード割り当てをツリー構造に似せるツリー構造に基づく帯域幅割り当てを呈示する。言い換えると、各層に常に正確に２つのブランチが存在する。この説明は、ＯＶＳＦコードツリーを指しているが、他のツリーベースの割り当ても存在し、他に使用することができることを認めるべきである。
【００２５】
例えば、図５を参照すると、様々な帯域幅を備えたＳＲＳに対する周波数ホッピングのための例示的な方式は、ＯＶＳＦコードツリー構造に基づくことができる。図５では、ＯＶＳＦコードツリーのブランチ５００は、所定のパターンに基づいて切り換えられる。したがって、ホッピング方法を使用することにより、様々な帯域幅を備えたＳＲＳの効率的な周波数ホッピングは、ＯＶＳＦコードツリーベースのＳＲＳ割り当てを維持しながら達成することができる。
【００２６】
ＯＶＳＦ及び他のツリーベースのＳＲＳ割り当ては、様々なセル配備シナリオにおけるユーザ収量性能を最大にするために、システム帯域幅より狭い送信帯域幅を備えたＳＲＳに対するホッピングベース及び局所化ベースの多重方式の両方をサポートすることができる。更に、図５の方式は、ＯＶＳＦコードツリーのブランチの切り換えに基づいて効率的なＳＲＳホッピング方法を実施するために適用することができる。しかし、他の方式は、３ＧＰＰで作られた現在のＳＲＳ仮定を考慮に入れない。例えば、これらの方式は、ＳＲＳ送信がＰＵＣＣＨ領域又は恒久的ＰＵＳＣＨのいずれかを破裂させた場合に適正に働かない場合がある。層あたり２つのブランチを備えたＯＶＳＦコードツリーは、ある一定のＢＷオプションがＳＲＳに対して許可されている場合は機能しない場合がある。したがって、ＯＶＳＦコードツリーには、ＬＴＥに対する現在の３ＧＰＰ仕様内で機能する明確なＳＲＳ周波数ホッピング構成がない。
【００２７】
ＳＲＳ帯域幅に対する様々な方式は公知である。例えば、２００８年１月８日出願の本出願人所有の米国特許仮出願第６０／００６、６３４号、及び２００８年２月５日出願の第６０／００６、９０１号は、その主題が、本明細書に引用により完全に組み込まれている。ＳＲＳ帯域幅に対するこれらの及び他の公知の方式は、いずれのＳＲＳ周波数ホッピングパターンも開示していない。
【００２８】
図１は、一部の実施形態によるＵＭＴＳシステム１００を示している。特に、ＵＭＴＳシステム１００は、１つ又はそれよりも多くのセル１０１を定める１つ又はそれよりも多くのノードＢ１１０（拡張ノードＢ又はｅＮＢとしてＬＴＥで公知である）、及びセルの１つ又はそれよりも多くに関連付けられる複数のユーザ機器（ＵＥ）１２０を含むことができる。ＵＥとノードＢ間の無線インタフェースは、Ｕｕ１３０と呼ばれる。
【００２９】
ＧＳＭにおいてＢＴＳ（基地送受信局）として公知のノードＢ１１０は、エアトランスポート技術として広帯域符号分割多元接続（ＷＣＤＭＡ）を使用することができる。ノードＢ１１０は、ノードＢ１１０の周りを自由に動く移動局（例えば、ＵＥ１２０）と直接通信するために、無線周波数送信機及び受信機を含む。セルラーネットワークのこのタイプでは、ＵＥ１２０は、互いに直接通信できないが、ノードＢ１１０と通信することができる。
【００３０】
従来、ノードＢ１１０は、最小機能しか有しておらず、ＲＮＣ（無線ネットワークコントローラ）１１１によって制御されている。しかし、これは、何らかの論理（例えば、再送信）が低応答時間に対してノードＢ１１０で処理される高速ダウンリンクパケットアクセス（ＨＳＤＰＡ）の出現と共に変化している。
【００３１】
ＷＣＤＭＡ技術の利用は、セルが同じか又は異なるノードＢ１１０に属することを可能にし、同じ周波数に重なって依然としてそれを使用するために異なるＲＮＣによって制御されるようにする。実際には、全ネットワークは、セル間のソフトハンドオーバーを達成するために１つの周波数対によってのみ実施される。
【００３２】
ＷＣＤＭＡは、グローバルシステムモバイル通信（ＧＳＭ）より高い周波数で作動する場合が多いので、セル範囲は、ＧＳＭセルに比べてかなり小さい。ＧＳＭとは異なり、セルのサイズは、セルブリージングとして公知の現象において一定ではない場合がある。この構成は、多数のノードＢ１１０及び３Ｇ（ＵＭＴＳ）ネットワークにおける注意深いスケジューリングを必要とする場合がある。しかし、ノードＢ１１０及びＵＥ１２０（ユーザ機器）における電力要件は、通常は、遙かに低い。
【００３３】
ノードＢ１１０は、一般的に、電力増幅器及びデジタル信号プロセッサ（図示しない）を含むいくつかの構成要素に接続したアンテナ（図示せず）を含む。ノードＢ１１０は、アンテナの構成及びタイプに応じて、セクターと呼ばれるいくつかのセル１０１にサービス提供することができる。
【００３４】
図１を続けて、ＵＥ１２０は、ＧＳＭサブシステムにおける移動局にほぼ対応し、通信するためにエンドユーザによって直接使用されるあらゆるデバイスとすることができる。例えば、ＵＥ１２０は、手持ち式電話、ラップトップコンピュータへのカード、又は他のデバイスとすることができる。ＵＥ１２０は、基地局、すなわち、上述のノードＢ１１０に接続している。ＵＥ１２０は、ＧＳＭシステムにおける移動局にほぼ対応する。
【００３５】
更に、ＵＥ１２０は、ノード１１０Ｂにいくつかのメッセージを送信し、ノード１１０Ｂからいくつかのメッセージを受信する。送信されるメッセージの１つは、ＳＲＳ１０２を含む。ＳＲＳ１０２は、ノードＢ１１０から受信したデータに基づいて又はユーザインタフェースによって又はこれらの両方によって構成することができる。この結果、構成されたＳＲＳ１０２を含むメッセージは、ＵＥ１２０からノードＢ１１０に送信される。
【００３６】
ＵＥ１２０は、移動度管理、発呼制御、セッション管理、及びアイデンティティ管理を含むコアネットワークに対するタスクを処理することができる。一般的に、対応するプロトコルは、ノードＢ１１０がプロトコル情報を変更、使用、又は理解しないように、ノードＢ１１０を通じて透過的に送信される。ＵＭＴＳバックエンドは、ＧＳＭ／ＵＭＴＳ無線ネットワーク（「ＧＳＭ  ＥＤＧＥ」無線アクセスネットワーク（ＧＥＲＡＮ）、ＵＭＴＳ地上波無線アクセスネットワーク（ＵＴＲＡＮ）、及び進化型ユニバーサル地上波無線アクセスネットワーク（Ｅ−ＵＴＲＡＮ））、ＷｉＦｉ、ウルトラモバイルブロードキャスト（ＵＭＢ）、及びワールドワイド相互運用性マイクロウェーブアクセス（ＷｉＭＡＸ））のような様々な手段を通じてアクセス可能になる。非ＵＭＴＳ無線ネットワークのユーザは、接続を実行するために使用されるネットワークの信頼性に応じたセキュリティの様々なレベルにより、ＩＰネットワークへのエントリポイントを提供される。ＧＳＭ／ＵＭＴＳネットワークのユーザは、システムのあらゆるレベルでの全ての認証が単一のシステムによって網羅される場合は統合システムを使用することができ、一方、ＷｉＭＡＸ及び他の類似の技術を通じてＵＭＴＳネットワークにアクセスするユーザは、例えば、メディアアクセス制御（ＭＡＣ）アドレス又は電子シリアル番号（ＥＳＮ）アドレスを通じて自らを認証し、１つの方法でＷｉＭＡＸ接続を処理し、別の方法でＵＭＴＳリンクアップを処理することになる。
【００３７】
ＬＴＥリリース８では、進化型ユニバーサル地上波無線アクセス（Ｅ−ＵＴＲＡ）と呼ばれるエアインタフェースが、無線ネットワークを配備するＵＭＴＳオペレータによって使用される。現在のＥ−ＵＴＲＡシステムは、ダウンリンク（タワー対受話器）に対してＯＦＤＭＡ、及びアップリンクに対してシングルキャリア周波数分割多元接続（ＳＣ−ＦＤＭＡ）を使用し、かつ局当たり４つまでのアンテナによって複数入力／複数出力（ＭＩＭＯ）を利用する。トランスポートブロックに対するチャンネル符号化方式は、ターボ符号化及び競合無しの２次置換多項式（ＱＰＰ）ターボコード内部インターリーバーである。
【００３８】
利用可能なスペクトルが、各々が異なる周波数上にあり、かつ各々が信号の一部を運ぶ何千もの非常に薄いキャリアに分割されるシステムは、ＯＦＤＭの使用により、Ｅ−ＵＴＲＡを３Ｇプロトコルで使用される古いＣＤＭＡベースのシステムよりもスペクトルの使用においてより柔軟にすることができる。ＣＤＭＡネットワークは、高チップレートを維持し、したがって、効率を最大にするために、各キャリアに割り当てられるスペクトルの大きなブロックを必要とする場合がある。ＯＦＤＭは、ＣＤＭＡよりも大きなリンクスペクトル効率を有し、６４ＱＡＭのような変調フォーマット及びＭＩＭＯのような技術に結合した場合は、Ｅ−ＵＴＲＡは、一般的に、ＨＳＤＰＡ及びＨＳＵＰＡを備えたＷ−ＣＤＭＡよりも効率的である。
【００３９】
ＬＴＥリリース８では、ＯＦＤＭダウンリンクにおけるサブキャリア間隔は、１５ｋＨｚであり、利用可能な２０４８サブキャリアの最大数が存在する。モバイルデバイスは、全ての２０４８サブキャリアを受信することができるが、基地局は、一般的に、最小構成において、７２サブキャリアだけの送信をサポートする。ＤＬにおけるサブキャリアの数は、チャンネルＢＷに依存し、２０４８サブキャリアは、２０ＭＨＺのＢＷで実施することができる。サブキャリアの適正な数は、ＢＷと共に縮小する。送信は、持続時間０．５ｍｓの時間スロット及び持続時間１．０ｍｓのサブフレームに時間的に分割される。無線フレームは、１０ｍｓの長さである。ダウンリンクデータチャンネルにおけるサポートされる変調フォーマットは、直交位相シフト変調方式（ＱＰＳＫ）、１６直交振幅変調（ＱＡＭ）、及び６４ＱＡＭである。
【００４０】
アップリンクに対する現在の仕様を続けて、多重化ＳＣ−ＦＤＭＡ、及びＱＰＳＫ又は１６ＱＡＭ（６４ＱＡＭオプション）変調を使用することができる。ＳＣ−ＦＤＭＡは、低ピーク対平均電力比（ＰＡＰＲ）を有するので使用される。各モバイルデバイスは、少なくとも１つの送信機を有する。仮想ＭＩＭＯ／空間分割多元接続（ＳＤＭＡ）を通じて、アップリンク方向におけるシステム容量は、基地局のアンテナの数に応じて増大させることができる。
【００４１】
特に、ＬＴＥアップリンク送信方式は、ＳＣ−ＦＤＭＡを使用する。ＯＦＤＭＡは、ダウンリンクにおけるＬＴＥ要件を満足させるのに最適と考えられるが、ＯＦＤＭＡ特性は、アップリンクに対して有用ではない。これは、主にＯＦＤＭＡ信号のピーク対平均電力比（ＰＡＰＲ）特性のためであり、劣悪なアップリンクサービスエリアを生じる。したがって、ＦＤＤ及びＴＤＤモードに対するＬＴＥアップリンク送信方式は、循環プレフィックスを備えたＳＣ−ＦＤＭＡに基づいている。ＳＣ−ＦＤＭＡ信号は、ＯＦＤＭＡ信号に比べてより良いＰＡＰＲ特性を有し、ＰＡＰＲ特性は、ＵＥ電力増幅器の費用対効果の高い設計に対して重要である。ＳＣ−ＦＤＭＡ信号処理は、ＯＦＤＭＡ信号処理との一部の類似性を有し、それによってダウンリンク及びアップリンクのパラメータ化を調和させることができる。
【００４２】
ＳＣ−ＦＤＭＡ信号を生成する方法には様々な可能性が存在する。例えば、離散的フーリエ変換拡散直交周波数分割多元方式（ＤＦＴ−ｓ−ＯＦＤＭ）がＥ−ＵＴＲＡに対して選択されている。ＤＦＴ−ｓ−ＯＦＤＭでは、サイズＭのＤＦＴが、最初にＭ変調記号のブロックに適用される。次に、ＱＰＳＫ、１６ＱＡＭ、及び６４ＱＡＭが、アップリンクＥ−ＵＴＲＡ変調方式として使用され、後者は、ＵＥに対するオプションである。ＤＦＴは、変調記号を周波数ドメインに変換することができる。結果は、利用可能なサブキャリアにマップされる。Ｅ−ＵＴＲＡアップリンクでは、連続的なサブキャリアにおける局所化された送信だけが許可される。Ｎ＞Ｍである場合のＮポイント逆高速フーリエ変換（ＩＦＦＴ）が、次に、ＯＦＤＭに行われ、次に、循環プレフィックスの加算及び並列／直列変換が続く。
【００４３】
したがって、ＤＦＴ処理は、ＤＦＴ−拡散―ＯＦＤＭという用語で示すように、ＳＣＦＤＭＡとＯＦＤＭＡ信号生成の間の基本的な差異である。入力データストリームが、利用可能なサブキャリアにわたるＤＦＴ変換によって拡散しているので、ＳＣ−ＦＤＭＡ信号では、送信のために使用される各サブキャリアが、全ての送信される変調記号の情報を収容する。これとは対照的に、ＯＦＤＭＡ信号の各サブキャリアは、特定の変調記号に関する情報だけを運ぶ。
【００４４】
同様に、ＳＣ−ＦＤＭＡパラメータ化では、Ｅ−ＵＴＲＡアップリンク構造をダウンリンクと同様にすることができる。例えば、アップリンク無線フレームは、各々が０．５ｍｓの２０スロットから成り、１サブフレームは、２スロットから成る。アップリンクでは、データは、１リソースブロックの倍数に割り当てられる。周波数ドメインにおけるアップリンクリソースブロックサイズは、現在、ダウンリンクの場合と同じに１２サブキャリアである。しかし、アップリンク信号処理におけるＤＦＴ設計を単純にするために、全ての整数倍数が通常許可されるわけではなく、一般的に、因数２、３、及び５だけが許可される。これらの制限は、実施例として参照されている。同様に、アップリンク送信時間間隔は、１ｍｓである（ダウンリンクと同じ）。
【００４５】
ユーザデータは、送信帯域幅及び可能な周波数ホッピングパターンによって判断される物理的アップリンク共有チャンネル（ＰＵＳＣＨ）で運ばれる。物理的アップリンク制御チャンネル（ＰＵＣＣＨ）は、ＵＬデータが存在しない場合はアップリンク制御情報、例えば、ＣＱＩレポート及びダウンリンクで受信したデータパケットに関するＡＣＫ／ＮＡＣＫ情報を運ぶことができる（ＵＬデータが存在する場合、制御信号は、ＵＬデータによって多重化されてＰＵＳＣＨ時間で送信される）。ＰＵＣＣＨは、アップリンクにおいて保証された周波数領域で送信される。
【００４６】
アップリンク基準信号構造では、アップリンク基準信号は、制御及びデータチャンネルを復調するためにノードＢ１１０受信機でのチャンネル推定に対して使用することができる。他方、基準信号は、チャンネルサウンディングと呼ばれる基地局におけるスケジューリング判断のための基礎としてチャンネル品質情報（ＣＱＩ）を提供することができる。アップリンク基準信号は、ＣＡＺＡＣ（定振幅ゼロ自己相関）シーケンス又はコンピュータ検索ベースのＺＡＣ（ゼロ自己相関）シーケンスに基づくことができる。
【００４７】
Ｅ−ＵＴＲＡによるアップリンク物理層手順に対しては、そのアップリンク物理層手順が必要であると考えられる。例えば、非同期ランダムアクセスにより、ランダムアクセスは、アイドルから接続へ遷移する場合に、ハンドオーバーの一部として初期アクセスを必要とするために、又はアップリンク同期を再設定するために使用することができる。同様に、複数のランダムアクセスチャンネルを１つのアクセス期間内の周波数ドメインにおいて定めることができる場合、ランダムアクセス機会の十分な数を提供することができる。
【００４８】
ランダムアクセス手順は、ＷＣＤＭＡに類似の電力ランピングを備えた開ループ電力制御を使用することができる。選択されたランダムアクセスチャンネルでプリアンブルが送信された後、ＵＥは、ランダムアクセス応答メッセージを待つ。応答が検出されなかった場合、別のランダムアクセスチャンネルが選択され、プリアンブルが再度送信される。
【００４９】
アップリンクスケジューリングでは、アップリンクリソースのスケジューリングがノードＢ１１０によって行われる。ノードＢ１１０は、ある一定の時間／周波数リソースをＵＥ１２０に割り当てることができ、ＵＥ１２０に使用する送信フォーマットについて通知する。アップリンクに影響を与えるスケジューリング判断は、ダウンリンクにおけるＰＤＣＣＨを通じてＵＥ１２０に伝達される。スケジューリング判断は、サービス品質（ＱｏＳ）パラメータ、ＵＥバッファステータス、アップリンクチャンネル品質測定値、ＵＥ機能、ＵＥ測定値ギャップ、その他に基づくことができる。
【００５０】
アップリンクリンク適応化方法として、送信電力制御、適応変調及びチャンネル符号化レート、並びに適応送信帯域幅を使用することができる。同様に、アップリンクタイミング制御は、異なるＵＥ１２０からの送信をノードＢ１１０の受信機ウィンドウに時間整合させるのに必要とされる。ノードＢ１１０は、適切なタイミング制御指令をダウンリンクにおいてＵＥ１２０に送信し、ＵＥ１２０にそれぞれの送信タイミングを適応させるように指令する。ハイブリッド自動リピート要求（ＨＡＲＱ）では、ノードＢ１２０は、間違って受信したデータパケットの再送信を必要とする場合がある。
【００５１】
３．９世代モバイル電話技術は、４Ｇの予測に近い拡張された機能を備えた３Ｇに基づくデジタルモバイル電話システムを提供する。実施可能性及び標準化が、現在の３Ｇ及び将来の４Ｇの間を滑らかに移行するリンクを実施する目的によって研究されている。
【００５２】
図３は、サウンディング基準信号周波数ホッピングパターン及び構成の方法３００を示している。段階３１０では、ＳＲＳ送信が許可されていないＲＢ（すなわち、ＰＵＣＣＨ領域又はＰＵＣＣＨ−リソース−サイズ）に関する情報がブロードキャストされる。次に、段階３１５で、ＳＲＳ周波数ホッピング位置が、ホッピングパターンに従って形成され、段階３２０で、ＳＲＳがＳＲＳ送信をサポートしない帯域幅に重なる場合にＳＲＳは切り捨てられる。以下に説明するように、ＵＥ１２０は、付加的なＵＥ１２０固有の信号伝達なしに自立的に切り捨てを実行することができる。特に、ＳＲＳは、段階３３０で最大許容ＳＲＳのＢＷに向けて切り捨てられる。方法３００を続けると、最も外側のＳＲＳ信号が段階３４０で切り捨てられ、それによって切り捨ては、構成されたＳＲＳのＢＷ及び適用されたツリーベースのＳＲＳ周波数帯域割り当てのいずれにも影響を与えない。
【００５３】
図６は、ツリー構造を備えた例示的なＳＲＳ周波数位置構成６００を示している。特に、（非周波数ホッピング）ＳＲＳの周波数ドメイン開始位置ｋ0は、サブキャリアで与えられ、次式によって定められる。
【００５４】
【数１】
2011523516.tif 000003
【００５５】
ここで、ｋ’0は、例えば、ＰＵＣＣＨ領域及び使用されたＲＰＦｃｏｍｂに関するオフセット（サブキャリアにおける）であり、ＬSRSは、ＳＲＳ位置割り当てにおける割り当てツリー層の深さであり、割り当てられたＳＲＳ帯域幅に対応し（ＬSRSは、割り当てられたＳＲＳ帯域幅値の数として考えることができる）、Ｂ1は、ツリー層１におけるＳＲＳ帯域幅（サブキャリアにおける）であり（すなわち、Ｂ1＝ＲＰＦｘ層１におけるＳＲＳシーケンスの長さ）、及びｎ1は、ツリー層１におけるＳＲＳ周波数位置割り当てインデックスである。
【００５６】
図７Ａは、ＳＲＳ周波数配分に対してツリー割り当てを利用し、かつ層あたり複数の周波数帯域ブランチをサポートする例示的なＳＲＳ周波数ホッピングパターン７００を示している。ＳＲＳ周波数ホッピングパターン７００は、広く分離された周波数配分における連続的なＳＲＳ信号を更に提供し、したがって、連続的なチャンネル品質インジケータ（ＣＱＩ）測定値における周波数ダイバーシティを最大にする。更に、以下に説明するように、ＳＲＳ周波数ホッピングパターン７００は、ＰＵＣＣＨ及び恒久的ＰＵＳＣＨ領域を周波数ホッピングＳＲＳが破裂しないようにすることができる。
【００５７】
上述のように、ＬＴＥ規格は、ＳＲＳがＰＵＣＣＨ領域を破裂してはならないことを示している。この条件は、恒久的配分のＰＵＳＣＨ領域に対して真とすることができる。これらの条件は、ＰＵＣＣＨ及び／又は恒久的ＰＵＳＣＨ領域が動的に変化する場合に保護しなくてはならない。この要求される結果をより完全に保証するために、一部の実施形態は、動的ＰＵＣＣＨ領域の処理に応答してＳＲＳ周波数ホッピングパターンを定める。例えば、ＰＵＣＣＨ領域の変化では、影響されるＳＲＳ送信が再構成される。
【００５８】
現在のＰＵＣＣＨのＲＢ（又は、より正確には、ＳＲＳ送信を許可されていないＲＢ）の情報はブロードキャストされ、ＵＥは、図３に示すようにそのＳＲＳ送信を修正することになる。欠点は、時々狭いＳＲＳ送信がＰＵＣＣＨ領域にホップした場合に、それが落ちることである。言い換えると、ＳＲＳが送信できない場合にホッピングパターンにインスタンスが存在することがある。
【００５９】
しかし、ホッピングＳＲＳに対する周波数ドメイン開始位置は、周波数ホッピングのないＳＲＳに対するものと同じ式によって定めることができる。次に、提案される周波数ホッピングパターンは、ツリー層１及びその上方の層に対してｎ1によって定めることができる。
【００６０】
【数２】
2011523516.tif 000004
【００６１】
ここで、
・ｎ1、origは、ツリー層１に対する配分インデックスの基準値である。言い換えると、これは、専用ＲＲＣ信号伝達からの共通基準フレーム及びサブフレーム数＋サブフレームオフセットに対する配分インデックス値を与える。
Ｎ1が偶数である場合、
【数３】
2011523516.tif 000005
Ｎ１が奇数である場合、
【数４】
2011523516.tif 000006
【００６２】
・ここで、Ｎ1は、割り当てツリー層１上のブランチあたりの新しいブランチの数である。例えば、ＯＶＳＦコードツリーでは、Ｎ1＝２である。
・ｔは、ＳＲＳに対する時間インデックスであり、共通基準フレーム及びサブフレーム数に関連し、現在のフレーム数、サブフレーム数、ＳＲＳサブフレームオフセット、及びＳＲＳ期間の関数である。基本的には、これは、共通時間基準に対するＳＲＳ発生のランニングインデックスであり、値｛０、１、２、．．．｝を得る。例えば、ｔは、例えば、ｔ＝［１０ｘ（フレーム数−基準フレーム数）＋サブフレーム数−基準サブフレーム数−サブフレームオフセット］／ＳＲＳ期間として与えられる。
【００６３】
一実施形態では、Ｆ1、tは、以下に示すように単純にすることができる。
Ｎ1が偶数である場合、
【数５】
2011523516.tif 000007
【００６４】
Ｎ1が奇数である場合、
【数６】
2011523516.tif 000008
【００６５】
図８は、ホッピングＳＲＳを形成する方法８００を示している。ＳＲＳ位置の計算の後で、ＵＥ１２０は、ＳＲＳが、ＳＲＳ送信をサポートしない帯域幅（すなわち、ｅＮＢによってブロードキャストされた現在のＰＵＣＣＨ領域）に重なっているかを段階８１０で検査する。一般的に、ＵＥ１２０は、付加的なＵＥ１２０固有の信号伝達なしに自立的に切り捨てを実行することができる。ＳＲＳホッピングパターンの長さは、式７で以下に与えられる割り当てられたＳＲＳ帯域幅に対応するツリー層におけるブランチの数によって与えられる。
【数７】
2011523516.tif 000009
【００６６】
代替的に、周波数ホッピングは、一部のツリー層だけに適用される。一例として、周波数ホッピングは、ツリー層ｌminに適用されるが、０からｌmin−１のツリー層には適用されない。この結果、提案される周波数ホッピングパターンは、（式１）によって定められ、ここで、
１＜ｌminの場合、
【数８】
2011523516.tif 000010
【００６７】
ｌが、ｌminに等しいか又は大きい場合には、Ｎ1が偶数の場合、
【数９】
2011523516.tif 000011
【００６８】
Ｎ1が奇数の場合、
【数１０】
2011523516.tif 000012
【００６９】
前の注釈とは異なり、ツリー層ｌmin−１における新しいブランチの数に関わらず（式９）及び（式１０）では、Ｎlmin-1＝１である。
【００７０】
図８を続けて、ＳＲＳが重なっている場合、ＳＲＳは、段階８２０で最大許容可能なＳＲＳのＢＷに向けて切り捨てられる。例えば、図７Ｂは、動的に変化するＰＵＣＣＨ領域を備えた例示的なＳＲＳ構成７５０を示し、ここで、ＳＲＳは、ＰＵＣＣＨ領域に対して調節するために切り捨てられている。切り捨てが可能でない場合、ＳＲＳ送信は、段階８３０で落とされる。
【００７１】
代替的に、ｅＮＢ１１０は、ＳＲＳツリー構造パラメータ（例えば、層の数Ｎ1、及び関連のＳＲＳ帯域幅）をブロードキャストすることによってＰＵＣＣＨ領域の変更を容易にすることができる。ＰＵＣＣＨ領域、又は代わりに、許可されたＳＲＳ領域が変化した場合、ブロードキャストされるＳＲＳツリー構造パラメータが変更される。別の実施形態では、ブロードキャストされるＳＲＳツリー構造パラメータの変更で、既存のＳＲＳ配分は、所定の配分再マッピング規則に従って現在のＳＲＳツリーにおける配分にＵＥ１２０及びｅＮＢ１１０で自立的にマップされる。ＳＲＳ配分の数は、ＳＲＳツリー再構成において低減することができる。この場合、所定の配分再マッピング規則によって識別されたある一定のＵＥ１２０は、これらがより高い層信号伝達を通じて新しいＵＥ１２０固有のＳＲＳ構成を受信するまで、そのＳＲＳ送信を自立的に中止することになる。ホッピングパターンは、現在ブロードキャストされているＳＲＳツリーに従って常に定められ、したがって、現在許可されている全ＳＲＳ領域を含む。この実施形態は、最小ＵＥ１２０固有の信号伝達によってＳＲＳツリーの再構成を可能にする。図示のＳＲＳ配分再マッピングは、周波数ホッピングあり及びなしでＳＲＳ配分に対して適用することができることを認めるべきである。
【００７２】
結果として、図８に示されているホッピングＳＲＳ形成方法８００は、ＳＲＳ周波数配分に対してツリー割り当てを利用することができ、１つのツリー層当たり複数の周波数帯域ブランチをサポートすることができる。図８に示されているホッピングＳＲＳ形成方法８００は、広く分離された周波数配分において連続的なＳＲＳ信号を提供し、したがって、連続的なＣＱＩ測定値における周波数ダイバーシティを最大にする。更に、図８に示されているホッピングＳＲＳ形成方法８００は、周波数ホッピングＳＲＳがＰＵＣＣＨ（恒久的ＰＵＳＣＨ）領域を破裂しないようにすることができる。図８に示されているホッピングＳＲＳ形成方法８００は、周波数ホッピングＳＲＳに関する信号伝達の負荷の最小化を可能にすることができ、周波数ホッピングは、システム情報ブロック（ＳＩＢ）メッセージから１ビットだけを要求するセル固有のパラメータを作ることができる。
【００７３】
ＳＲＳは、周波数ホッピングあり又はなしでスケジュールすることができることを認めるべきである。例えば、図１を参照すると、周波数ホッピングと非ホッピングＳＲＳ間の選択は、セル１０１に固有とすることができ、次に、セル１０１内のＵＥ１２０の全てにブロードキャストされる。代わりに、ホッピング／非ホッピング選択は、各ＵＥ２１０に固有とすることができ、専用無線リソースコントローラ（ＲＲＣ）１１１によって構成することができる。周波数ホッピング及び非ホッピングＳＲＳの分離は、次に、ノードＢ１１０（又は拡張ノードＢ、ｅＮＢ）で実行される。例えば、ホッピング及び非ホッピングＳＲＳは、反復係数（ＲＰＦ）ｃｏｍｂによって又はサブフレームオフセットによって分離することができる。
【００７４】
例えば、図９に示すように、例示的な送信ブロック９００は、非ホッピングＳＲＳの期間がホッピングＳＲＳの期間よりも長い場合に、同じＳＲＳ記号（又はＳＣ−ＦＤＭＡ記号）に多重化される周波数ホッピングＳＲＳ及び非ホッピングＳＲＳを含む。
【００７５】
周波数ホッピングＳＲＳにより、複数のＳＲＳ期間は、ＳＲＳ構成における付加的な制限を潜在的に引き起こすことができる。一般的に、全ての周波数ホッピングＳＲＳは、各特定のＳＲＳ記号及びｃｏｍｂ組合せにおいて同じ期間を有することが好ましい。例えば、２ｍｓ及び５ｍｓ期間は、これらが異なるｃｏｍｂに割り当てられる場合にセルにおける周波数ホッピングＳＲＳに対して同時に使用することができる。
【００７６】
同様に、１ショットＳＲＳの構成は、前の技術を適応させることにより、比較的簡単であり、それによってＳＲＳは、周波数ホッピングあり又はなしのいずれかで構成することができる。
【００７７】
図１を再度参照すると、セルは、アンテナダイバーシティを提供するために複数のアンテナ１１２を含むことができる。送信アンテナダイバーシティは、閉ループ送信とすることができ、アップリンクチャンネル情報は、移動局からフィードバックされる。閉ループアンテナ選択により、送信側アンテナは、一般的に、連続的なＳＲＳ送信間で交互に実行する。同様に、送信側アンテナは、一般的に、周波数ホッピングＳＲＳの場合は交互に実行することになる。しかし、両方のアンテナから同じ周波数を送信するためには、連続的なＳＲＳは、同じ周波数ホッピング期間に一度だけ同じアンテナから送信されることが好ましい。例えば、ホッピング期間の第１ＳＲＳは、ホッピング期間の最後のＳＲＳと同じアンテナから送信することができる。
【００７８】
ここで図４を参照すると、一部の実施形態による処理流れ図４００が示されている。特に、流れ図４００は、ノードＢ１１０とＵＥ１２０間の対話を示している。ＵＥ１２０は、ＳＲＳ設定信号であるＲＲＣ信号伝達４４０を受信することができる。ＵＥ１２０は、本明細書に開示するように配分されたＳＲＳを含むノードＢ１１０へのアップリンクメッセージ４６０を作成するために、ＲＲＣ信号伝達４４０からのデータを使用する。ノードＢ１１０は、次に、アップリンクメッセージ４６０におけるＵＥ１２０による要求に応答して、ＰＤＣＣＨのようなＤＬ４７０を通じて信号伝達されたＵＬスケジューリング承諾によって応答することができる。ＵＬメッセージ４６０におけるＵＬスケジューリング承諾に応答して、ＵＥ１２０は、送信されたＳＲＳに基づいてリンク適応化／スケジューリング判断が実行されるＵＬデータ送信４８０をノードＢ１１０に転送することができる。
【００７９】
ここで図２を参照すると、一部の実施形態によるＵＥ１２０が示されている。ＵＥ１２０は、ＳＲＳを含むアップリンクメッセージを形成するために、ストレージデバイス２３０の記憶されたデータにアクセスするように構成されたプロセッサ２１０を含む。ストレージデバイス２３０は、例えば、ＤＭのＲＳ及びＳＲＳ信号に関するデータ、要求される最大循環シフト分離、及び詳細を記憶することができ、ツリーベースの帯域割り当てをサポートする。同様に、ストレージデバイス２３０は、ＰＵＣＣＨ及び恒久的ＰＵＳＣＨに対して保証される十分な帯域幅、ＳＲＳ帯域、及び帯域幅配分に対する対応する要求されるＤＦＴ及びＲＰＦサイズをプロセッサ２０２が判断するのに必要なデータを記憶することができる。ストレージ２３０に記憶されたこの情報は、例えば、ユーザインタフェース２１０によって提供することができ、又は受信機２５０を通じて外部ソースから受信される。プロセッサ２２０は、次に、割り当てられた帯域幅を有する割り当てられた帯域でＳＲＳを含むアップリンクメッセージを形成し、このアップリンクメッセージは、ノードＢのような外部デバイスに送信するための送信機２４０に転送することができる。
【００８０】
上述のように、ＳＲＳ送信は、ＰＵＣＣＨ領域を「破裂」させてはならず、又はそうでなければＰＵＣＣＨに対して保証されていたＲＢにわたる送信を試みてはならない。同様に、ＳＲＳが（大多数の）恒久的ＰＵＳＣＨ配分と重ならない方法でＰＵＣＣＨ帯域幅パラメータを構成することが可能である。したがって、一実施形態は、恒久的ＰＵＳＣＨを含むＰＵＣＣＨ帯域幅（ＢＷ）が動的に変化する場合にも、ＳＲＳ送信がＰＵＣＣＨ領域を破裂してはならないというこの要件を満足させることに関する。
【００８１】
図１０に示すように、セルにおけるＵＥ１２０の各々は、プロセッサ１０１１、メモリ１０１２、及び入力デバイス及び出力デバイス１０１３−１０１４を含むことができる。ソース１０１０は、一部の実施形態に開示するように、適切なＳＲＳメッセージの形成及び送信に関する機能を実行するために、ソフトウエア１０１５及び関連のハードウエア１０１６を更に含むことができる。例えば、ソース１２０は、送信されるＳＲＳに対する構成条件を受信及び記憶し、メモリにアクセスし、かつ記憶されたパラメータを使用してＳＲＳメッセージを形成し、次に、送信されたＳＲＳメッセージが基地局１１０によって受信したという確認を受信した後にメモリから記憶されたパラメータを取り除くことができる。したがって、送信されるＳＲＳメッセージの処理は、ハードウエア１０１６又はソフトウエア１０１５における回路によって必要に応じて実行することができる。
【００８２】
同様に、ノードＢ１１０は、プロセッサ１０２１、メモリ１０２２、及び入力デバイス及び出力デバイス１０２３−１０２４を含むことができる。基地局（例えば、ノード１１０）は、本出願に開示するように、送信されたＳＲＳ信号の受信及び復号に関する機能を実行するためのソフトウエア１０２５及び関連のハードウエア１０２６を更に含むことができる。ノードＢ１１０は、特定のノードＢ１１０又はセルにおけるノードＢ１１０の全てに対するＳＲＳメッセージに対する条件を定める構成メッセージを形成するために、ハードウエア１０２６又はソフトウエア１０２５に論理を含むことができる。
【００８３】
コンピュータ可読媒体上に組み込まれたコンピュータプログラム、コンピュータプログラム又は類似の言語によって符号化されたコンピュータ可読媒体は、プロセッサ、デジタル処理デバイス、中央演算処理装置（ＣＰＵ）などを制御するように構成されたコンピュータソフトウエアプログラムを記憶する有形のデータストレージデバイスとして組み込むことができ、１つ又はそれよりも多くのオペレーションを実行するか又は１つ又はそれよりも多くのソフトウエア命令を実行する。有形データストレージデバイスは、揮発性メモリデバイス又は不揮発性メモリデバイス、及び／又は揮発性メモリデバイス及び不揮発性メモリデバイスの組合せとして組み込むことができる。したがって、一部の実施形態は、コンピュータプログラムによって符号化されたコンピュータ可読媒体を提供し、ここで、コンピュータプログラムは、オペレーションを実行するように構成される。
【００８４】
本明細書全体を通して特徴、利点、又は類似の言語への言及は、上述の実施形態によって実施することができる特徴及び利点の全てが、いずれかの単一の実施形態でなくてはならないか、又はいずれか単一の実施形態のものであることを意味するものではない点に注意すべきである。逆に、特徴及び利点に言及する言語は、実施形態に関して説明した特定の特徴、利点、又は特性が、上述の少なくとも１つの実施形態に含まれることを意味すると理解される。すなわち、本明細書全体を通して特徴及び利点及び類似の言語の説明は、必ずしも同じ実施形態に言及するものではない。
【００８５】
更に、本発明の説明した特徴、利点、及び特性は、１つ又はそれよりも多くの実施形態においてあらゆる適切な方法で結合させることができる。当業者は、特定的な実施形態の特定の特徴又は利点の１つ又はそれよりも多くがなくても本発明を実施することができることを認識するであろう。他の場合には、全ての実施形態に存在しないことがある付加的な特徴及び利点が、ある一定の実施形態において認識される場合がある。
【図１】
2011523516.tif 000023
【図２】
2011523516.tif 000024
【図３】
2011523516.tif 000025
【図４】
2011523516.tif 000026
【図５】
2011523516.tif 000027
【図６】
2011523516.tif 000028
【図７Ａ】
2011523516.tif 000029
【図７Ｂ】
2011523516.tif 000030
【図８】
2011523516.tif 000031
【図９】
2011523516.tif 000032
【図１０】
2011523516.tif 000033
【国際調査報告】
2011523516.tif 000034
2011523516.tif 000035
2011523516.tif 000036